(57)【要約】【課題】ヒトそれぞれに合った椅子高さをより正確に特定することができる最適椅子高さ特定方法と、そのヒトに最も合った椅子の高さがいかなるものであるかを容易にしかも興味をもって体験することができる、最適椅子高さ特定のための体験システムとを提供する。【解決手段】体重と、椅子に座ったときの足裏から受ける足裏重量との比からそのヒトの椅子の座面の最適椅子高さを特定する。体験システムは、昇降可能な座面１ａを備えた体験用椅子１と、椅子１に座ったときの足裏から受ける足裏重量を測定する重量測定器２とが備えられ、体重の測定と前記足裏重量の測定とを行うことができるようになされている。【選択図】      図１
2005102939.tif 000002
【特許請求の範囲】
【請求項１】
体重と、椅子に座ったときの足裏から受ける足裏重量、及び／又は、椅子に座ったときの椅子が受ける非足裏重量との比からそのヒトの椅子の座面の最適高さを特定することを特徴とする最適椅子高さ特定方法。
【請求項２】
昇降可能な座面を備えた体験用椅子と、
椅子に座ったときの足裏から受ける足裏重量を測定する重量測定器、及び／又は、椅子に座ったときの椅子が受ける非足裏重量を測定する重量測定器と
が備えられ、
体重の測定と、前記足裏重量の測定及び／又は前記非足裏重量の測定とを行うことができるようになされていることを特徴とする最適椅子高さ特定のための体験システム。
【発明の詳細な説明】
【技術分野】
【０００１】
本発明は、最適椅子高さ特定方法及び最適椅子高さ特定のための体験システムに関する。
【背景技術】
【０００２】
長時間座っていても疲れない椅子の高さ、即ち、床面から座面までの高さ寸法は、従来より、ヒトの身長の１／４程度であるといわれ、そのような尺度に基づいて椅子の高さは決められてきた。
【発明の開示】
【発明が解決しようとする課題】
【０００３】
しかしながら、身長に占める座高の高さ寸法はヒトそれぞれに異なっており、上記の評価方法が正しいとも、誤っているとも言いきれず、あくまで一応の尺度としてしか考えることができないという問題があった。
【０００４】
また、そのヒトに最も合った椅子の高さがいかなるものであるかを体験希望者に体験してもらう上で、身長を測ったり、椅子に座ってもらったりことは、上記の尺度があまり正確とは言えないものであることも相俟って、体験者にとって面倒なことであったり、退屈なことであったりすることも少なくない。
【０００５】
本発明は、上記のような問題点に鑑み、ヒトそれぞれに合った椅子高さをより正確に特定することができる最適椅子高さ特定方法を提供することを課題とする。
【０００６】
また、本発明は、そのヒトに最も合った椅子の高さがいかなるものであるかを容易にしかも興味をもって体験することができる、最適椅子高さ特定のための体験システムを提供することも課題とする。
【課題を解決するための手段】
【０００７】
上記の課題において、本発明者らは、種々調査と実験、研究を重ねた結果、人体各部の重量比は、ヒトそれぞれにあまり異ならないことを突き止め、体重に着目することで、そのヒトに最も合った最適椅子高さをより正確に特定することができることを見出し、本発明を完成するに至った。
【０００８】
即ち、本発明は、体重と、椅子に座ったときの足裏から受ける足裏重量、及び／又は、椅子に座ったときの椅子が受ける非足裏重量との比からそのヒトの椅子の座面の最適高さを特定することを特徴とする最適椅子高さ特定方法をその内容とする。
【０００９】
この方法において、体重と、椅子に座ったときの足裏から受ける重量との比は、そのヒトの体重と、そのヒトの腿と座面との間にタオルを挟んでそのタオルを第三者がスッと抜けるときの椅子高さにおいて足裏から受ける重量との比から求めることができ、発明者らがこの方法に基づいて多くの実験を重ねた結果、この比を、例えば１００対１６に設定すれば、あるいは、体重と、椅子に座ったときの椅子が受ける重量との比を１００対８４に設定すれば、従来よりも正確な最適椅子高さを特定できることを明らかにした。しかし、本発明がこの比に限定解釈されるべきものでないことはいうまでもない。
【００１０】
このように、本発明の最適椅子高さ特定方法は、人体各部の重量比がヒトそれぞれにあまり異ならないという事実解明に基づいて、体重に着目することでそのヒトに合った最適椅子高さを特定するものであるから、最適椅子高さを従来よりも正確にかつ信頼性高く特定することができる。
【００１１】
また、本発明は、昇降可能な座面を備えた体験用椅子と、
椅子に座ったときの足裏から受ける足裏重量を測定する重量測定器、及び／又は、椅子に座ったときの椅子が受ける非足裏重量を測定する重量測定器と
が備えられ、
体重の測定と、前記足裏重量の測定及び／又は前記非足裏重量の測定とを行うことができるようになされていることを特徴とする最適椅子高さ特定のための体験システムをその内容とする。
【００１２】
この体験システムは、上記の最適椅子高さ特定方法をそのまま実践したものであり、最適椅子高さを従来よりも正確にかつ信頼性高く特定することができる。従ってまた、体験希望者は、自らに合った最適椅子高さを特定して体験してみたいという強い興味と関心をもってこの体験システムを利用することになる。
【００１３】
しかも、体験用椅子が昇降可能な座面を備えており、しかも、椅子に座ったときの足裏から受ける足裏重量を測定する重量測定器、及び／又は、椅子に座ったときの椅子が受ける非足裏重量を測定する重量測定器と備えられている。従って、足裏重量測定器が椅子の前に設置されている場合は、椅子の前で椅子を後ろにするようにして体験用椅子に座る準備をしながら足裏重量測定器に乗れば、体重を測定でき、体重測定後は、そのまま体験用椅子に座ればよい。また、非足裏重量測定器が備えられている場合は、直接体験用椅子に座るだけで、あとは操作によって体験用椅子を足が届かない高さまで上昇させれば、体重を測定できる。そして、足裏から受ける重量の測定や、椅子が受ける重量の測定は、椅子を昇降させるだけで行える。これにより、体験用椅子に座る自然な動作のなかで、体重の測定を含めて最適椅子高さが自然に特定されていき、煩わしさを感じることなく、容易に、しかも、興味と関心をもってドキドキしながら体験を行っていくことができ、体験のおもしろさを実感することができる。
【発明の効果】
【００１４】
本発明の最適椅子高さ特定方法は、以上のとおりのものであるから、ヒトそれぞれに合った椅子高さをより正確に特定することができる。
【００１５】
また、本発明の最適椅子高さ特定のための体験システムは、そのヒトに最も合った椅子の高さがいかなるものであるかを容易にしかも興味をもって体験することができる。
【発明を実施するための最良の形態】
【００１６】
次に、本発明の実施最良形態を図面に基づいて説明する。
【００１７】
以下の述べる実施形態は、最適椅子高さ特定のための体験システムについてのもので、この体験システムのなかで、同時に本発明の最適椅子高さ特定特定方法を説明していくが、本発明の最適椅子高さ特定方法は、単に体験だけのために用いられるものではなく、例えば、椅子それ自体に適用し、座れば最適椅子高さにコントロールされるような椅子の中で用いるなど、体験以外の各種目的で用いることができるものである。
【００１８】
図１に示す第１実施形態の体験システムにおいて、１は体験用椅子、２は足裏重量測定器である。体験用椅子１は、電動や液圧等の駆動手段３で昇降できるようになされた座面１ａを備えており、足裏重量測定器２は、椅子１の前の床面４に、床面４と面一となるように備えられている。１ｂは背もたれである。
【００１９】
体験は、例えば次のように行われる。即ち、図２（イ）に示すように、体験希望者は、体験用椅子１の前に、椅子１を後ろにするようにして立って足裏重量測定器２の上に乗り、体重の測定を行い、この体重値と、最適椅子高さ特定のための設定比、例えば１００対１６の比率から、最適椅子高さにおける足裏重量値を算出して求める。例えば体重が５０ｋｇであれば、最適椅子高さにおける足裏重量値は８ｋｇとなる。なお、体重の計測や最適椅子高さにおける足裏重量値の算出は、自ら行ってもよいし、体験提供者などの補助者が行うようにしてもよい。
【００２０】
こうして体重を測定した後、図２（ロ）に示すように、足裏重量測定器２に足を乗せたまま、体験用椅子１の座面に腰を下ろす。椅子１の座面１ａは、体験者のすべての体格に対応できるよう、予め低めの位置に待機させてある。そして、図２（ハ）に示すように、体験用椅子１の座面１ａの高さ位置を一旦高い位置まで上昇させ、しかる後、図３（ニ）（ホ）に示すように、座面１ａを段階的にあるいは無段階的に下降させていきながら、足裏重量測定器２が足裏から受ける重量を確認していく。
【００２１】
なお、図２（ハ）に示すように座面１ａを一旦上昇させることになく、図２（ロ）に示す状態から図３（ト）に示すように、座面１ａを段階的にあるいは無段階的に上昇させていきながら、足裏重量測定器２が足裏から受ける重量を確認していくようにしてもよい。
【００２２】
そして、この足裏重量が、最適椅子高さにおける足裏重量値と一致したとき、図３（ヘ）に示すように、座面１ａの下降を停止する。この座面高さ位置が最適椅子高さであり、体験者は、自ら、あるいは、補助者からの知らせを受けて、自分に最も合った高さの椅子に、現に今、座っていることを知り、その座り心地を深く味わい、次第に、いつまでも座っていたいという気持ちに駆られてくることになる。
【００２３】
そして、この椅子高さがいくらの寸法であるかを知ったとき、自らに最もあった椅子高さが数値として頭の中に刻み込まれ、それをその後の椅子の購入に役立てようとか、生活や仕事の中で使用している椅子の高さ調節に役立てようとかいう決意が資源と現れることになる。
【００２４】
このように、上記の体験システムによれば、最適椅子高さを従来よりも正確にかつ信頼性高く特定することができ、従ってまた、体験希望者に、自らに合った最適椅子高さを特定して体験してみたいという強い興味と関心をもってこの体験システムを利用したいと思う強い気持ちを持たせることができる。
【００２５】
しかも、本体験システムでは、足裏重量測定器２が椅子１の前に設置されているので、上記のように、椅子１の前で椅子１を後ろにするようにして体験用椅子１に座る準備をしながら足裏重量測定器２に乗れば、体重を測定でき、体重測定後は、そのまま体験用椅子１に座ればよく、体験用椅子に座る自然な動作のなかで、体重の測定を含めて最適椅子高さが自然に特定されていき、煩わしさを感じることなく、容易に、しかも、興味と関心をもって体験を行っていくことができ、体験のおもしろさを実感することができる。
【００２６】
なお、上記の第１実施形態では、足裏重量測定器２を床面４と面一になるように備えられているが、床上に置くようにし、足裏重量測定器２の高さ寸法を最適椅子高さの寸法に反映させるようにしてもよい。
【００２７】
図４に示す第２実施形態の体験システムは、足裏重量測定器が省略され、それに代えて、体験用椅子１に、これに座ったときの椅子１が受ける非足裏重量を測定する非足裏重量測定器５が備えられている。その他は第１実施形態と同様である。
【００２８】
この体験システムでは、図５（イ）に示すように、まず、体験用椅子１に腰を下ろせばよい。そして、図５（ロ）に示すように、座面１ａの高さ位置を、足が床４から離れる程度の高い位置まで上昇させ、非足裏重量測定器５にて体重を測定する。しかる後、図５（ハ）、図６（ニ）に示すように、座面１ａを段階的にあるいは無段階的に下降させていく。その過程で、足は床４に着き、足が床４から受ける重量が増加していく一方で、椅子１が受け重量、即ち非足裏重量は減少していく。それを非足裏重量測定器５で確認していく。そして、この非足裏重量が、最適椅子高さにおける非足裏重量値と一致したとき、図６（ホ）に示すように、座面１ａの下降を停止する。このときの座面高さ位置が最適椅子高さである。なお、図６（ヘ）に示すように、座面１ａの高さ位置が下がりすぎてしまったような場合には、上昇させていけばよい。この体験システムによれば、まさに椅子に座れば、体重の測定から最適椅子高さの特定までをすべて行っていくことができる。
【００２９】
図７に示す第３実施形態の体験システムは、足裏重量測定器２と非足裏重量測定器５の両方を備えている。このシステムでは、足裏重量測定器２と非足裏重量測定器５の両方で測定を行っていくことで、最適椅子高さの特定中、両測定器２，５の測定値が常に体重値になることを確認しながら、最適椅子高さの正確な特定を行っていくことができると共に、椅子に座るだけで両測定器２，５の測定値から体重を割り出すことができ、最適椅子高さ特定の手順を単純化することができる。
【図面の簡単な説明】
【００３０】
【図１】図（イ）（ロ）は、第１実施形態の体験システム及び特定方法に用いられる椅子等を示す断面側面図である。
【図２】図（イ）〜（ハ）は、図３（ニ）〜（ト）と共に、最適椅子高さ特定の過程を順次に示す断面側面図である。
【図３】図（ニ）〜（ト）は、図２（イ）〜（ハ）と共に、最適椅子高さ特定の過程を順次に示す断面側面図である。
【図４】図（イ）（ロ）は、第２実施形態の体験システム及び特定方法に用いられる椅子等を示す断面側面図である。
【図５】図（イ）〜（ハ）は、図６（ニ）〜（ヘ）と共に、最適椅子高さ特定の過程を順次に示す断面側面図である。
【図６】図（ニ）〜（ヘ）は、図５（イ）〜（ハ）と共に、最適椅子高さ特定の過程を順次に示す断面側面図である。
【図７】図（イ）（ロ）は、第３実施形態の体験システム及び特定方法に用いられる椅子等を示す断面側面図である。
【符号の説明】
【００３１】
１…体験用椅子
１ａ…座面
２…足裏重量測定器
５…非足裏重量測定器
【図１】
2005102939.tif 000003
【図２】
2005102939.tif 000004
【図３】
2005102939.tif 000005
【図４】
2005102939.tif 000006
【図５】
2005102939.tif 000007
【図６】
2005102939.tif 000008
【図７】
2005102939.tif 000009